(57)【要約】【課題】サイドシール部による違和感が軽減する又は無くなるようにする。【解決手段】上記課題は、前身頃Ｆ又は後身頃Ｂの一方の身頃Ｘにおける、少なくともサイドシール部２１との境界Ｂを跨ぐ境界領域において、発揮しない構造であり、他方の身頃Ｙにおける境界領域においては、弾性部材２５の収縮力が強いか発揮する構造であることにより解決される。【選択図】図８
2018110898.tif 000002
【特許請求の範囲】
【請求項１】
着用者側及び裏面側の一対のシート間に配置され、幅方向に伸縮力を与える伸縮部材が固定された、前身頃及び後身頃の両側縁部が相互の接合によるサイドシール部を有し、ウエスト開口及び左右一対の脚開口が形成されたパンツタイプ使い捨て製品において、
前身頃又は後身頃の一方の身頃における、少なくともサイドシール部との境界を跨ぐ境界領域においては、前記弾性部材の収縮力が発揮しない構造であり、他方の身頃における境界領域においては、前記弾性部材の収縮力が強いか発揮する構造であり、
前記弾性部材が弾性フィルムであり、前記一方の身頃において、境界を跨ぐ境界領域のほか、前記サイドシール部の幅方向側縁までの全体において、前記弾性フィルムは位置していない、
ことを特徴とするパンツタイプ使い捨て製品。
【請求項２】
前記弾性フィルムは、エラストマーフィルムであり、熱溶着又は超音波溶着によって多数の点で前記シートに溶着接合されている請求項１記載のパンツタイプ使い捨て製品。
【発明の詳細な説明】
【技術分野】
【０００１】
本発明は、パンツタイプ使い捨ておむつなどのパンツタイプ使い捨て製品に関する。
【背景技術】
【０００２】
パンツタイプ使い捨ておむつは、前身頃及び後身頃を個別又は一体的に構成する外装体と、前身頃から後身頃にわたるように外装体の内面に取り付けられた、吸収体を含む内装体とを備え、前身頃の外装体の両側縁部と後身頃の外装体の両側縁部とが接合されてサイドシール部が形成されることにより、ウエスト開口及び左右一対の脚開口が形成されているものが一般的である。また、パンツタイプ使い捨ておむつにおいては、フィット性を向上させるために、例えば、脚周り部や胴周り部に糸ゴム等の弾性部材を設けることが一般的となっている。
【０００３】
前記サイドシール部に関し、幾つかの提案がなされている（特許文献１及び２）。これらはいずれも弾性部材の収縮力により、抜け落ちて固定されないことを防止するために、サイドシール部自体の形態に関し工夫したものである。
【０００４】
他方、後に図面を参照しながら説明するように、前記特許文献の例も含めて、サイドシール部には前身頃の弾性部材の収縮力と後身頃の弾性部材の収縮力とがつり合うために、着用時におけるサイドシール部は、一般的に着用者から離れる方向に突出する形態となる。
サイドシール部は素材が重ね合わせ状態で圧縮した状態になるので、他の部分に比較して硬い部分である。
【０００５】
したがって、前身頃及び後身頃の幅方向端部がサイドシール部に向かう着用者側においては、他の内面領域より剛性が高い傾向にあり、着用者の肌に違和感を与えることがある。
また、サイドシール部が着用者から放射状に突出する形態となる傾向にあるので、手で触ると違和感を与えることがある。
【先行技術文献】
【特許文献】
【０００６】
【特許文献１】特開２０１３−１２８５７５号公報
【特許文献２】特開２０００−２７９４４４号公報
【発明の概要】
【発明が解決しようとする課題】
【０００７】
そこで本発明の主たる課題は、サイドシール部による違和感が軽減する又は無くなるパンツタイプ使い捨て製品を提供することにある。
【課題を解決するための手段】
【０００８】
上記課題を解決した本発明のパンツタイプ使い捨て製品は、
着用者側及び裏面側の一対のシート間に配置され、幅方向に伸縮力を与える伸縮部材が固定された、前身頃及び後身頃の両側縁部が相互の接合によるサイドシール部を有し、ウエスト開口及び左右一対の脚開口が形成されたパンツタイプ使い捨て製品において、
前身頃又は後身頃の一方の身頃における、少なくともサイドシール部との境界を跨ぐ境界領域においては、前記弾性部材の収縮力が発揮しない構造であり、他方の身頃における境界領域においては、前記弾性部材の収縮力が強いか発揮する構造であることを特徴とする。
前記弾性部材が弾性フィルムであり、前記一方の身頃において、境界を跨ぐ境界領域のほか、前記サイドシール部の幅方向側縁までの全体において、前記弾性フィルムは位置していない態様とする。
【０００９】
一方の身頃における、少なくともサイドシール部との境界を跨ぐ境界領域において、弾性部材の収縮力が弱いか発揮しない構造であり、他方の身頃における境界領域においては、弾性部材の収縮力が強いか発揮する構造であると、サイドシール部は、他方の身頃に倒れる傾向を示す。その結果、サイドシール部による違和感が軽減する。
【００１０】
【００１１】
【００１２】
【００１３】
【００１４】
【００１５】
【発明の効果】
【００１６】
以上のとおり、本発明によれば、サイドシール部による違和感が軽減する又は無くなる。
【図面の簡単な説明】
【００１７】
【図１】展開状態のパンツタイプ使い捨ておむつの平面図（内面側）である。
【図２】展開状態のパンツタイプ使い捨ておむつの平面図（外面側）である。
【図３】図１のＣ−Ｃ断面図である。
【図４】図１のＡ−Ａ断面図である。
【図５】図１のＢ−Ｂ断面図である。
【図６】パンツタイプ使い捨ておむつの装着状態の斜視図である。
【図７】サイドシール部例を概略的に図示したもので、（ａ）は従来例、（ｂ）は第１の実施形態の倒伏していない状態の概念的断面図、（ｃ）はサイドシール部が倒伏している状態の概念的断面図である。
【図８】（ａ）は第２の実施形態の倒伏しない状態の概念的断面図、（ｂ）はサイドシール部が倒伏している状態の概念的断面図である。
【図９】（ａ）は第３の実施形態の倒伏しない状態の概念的断面図、（ｂ）はサイドシール部が倒伏している状態の概念的断面図である。
【図１０】（ａ）は第４の実施形態のサイドシール部の要部平面図、（ｂ）はサイドシール部が倒伏している状態の概念的断面図である。
【図１１】他のサイドシール部例の要部平面図である。
【発明を実施するための形態】
【００１８】
以下、本発明の一実施形態について、添付図面を参照しつつ詳説する。なお、用語「伸長率」は自然長を１００％としたときの値を意味する。また、図中の細かい点模様部分はホットメルト接着剤等の接合手段が存在することを示している。
図１〜図６はパンツタイプ使い捨ておむつの一例を示している。このパンツタイプ使い捨ておむつ（以下、単におむつともいう。）は、前身頃Ｆ及び後身頃Ｂを一体的に構成する外装体２０と、前身頃Ｆから後身頃Ｂにわたるように外装体２０の内面に固定された内装体１０とを有しており、内装体１０は液透過性表面シート１１と液不透過性裏面側シート１２との間に吸収体１３が介在されてなるものである。
例えば、製造に際しては、外装体２０の内面（上面）に対して内装体１０の裏面がホットメルト接着剤などの接合手段によって接合（図２の点模様部分）された後に、内装体１０および外装体２０が前身頃Ｆ及び後身頃Ｂの境界である前後方向（縦方向）中央で折り畳まれ、その両側部が相互に熱溶着またはホットメルト接着剤などによって接合されてサイドシール部２１が形成されることによって、ウエスト開口及び左右一対の脚開口が形成されたパンツタイプ使い捨ておむつとなる。
【００１９】
（内装体の構造例）
内装体１０は、例えば、図３〜図５に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。内装体１０の平面形状は特に限定されないが、図示形態のように略長方形とすることが一般的である。
【００２０】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２１】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２２】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２３】
吸収体１３の全体形状は、股間部分に前後両側よりも幅の狭い括れ部分１３Ｎを有する略砂時計状に形成されているが、長方形状等、適宜の意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
【００２４】
図示の形態においては、内装体１０の両側部に脚周りにフィットする立体ギャザーＢＳが形成されている。この立体ギャザーＢＳは、図４及び図５に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとした立体ギャザーシート１５により形成されている。立体ギャザーシート１５としては撥水性とされた不織布が好適に用いられる。
【００２５】
また、二重シートのシート間には、自由部分の先端部等に細長状の立体ギャザー弾性部材１６が配設されている。立体ギャザー弾性部材１６は、製品状態において図４に二点鎖線で示すように、弾性伸縮力により吸収体側縁部より突出する自由部分を起立させて立体ギャザーＢＳを形成するためのものである。
【００２６】
液不透過性裏面側シート１２は、液透過性表面シート１１とともに吸収体１３の幅方向両側で裏側に折り返されている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２７】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は１０．０ｍｍ以下として配設するのがよい。なお、ギャザー弾性部材１６としては、図示形態のような糸状の他、ある程度の幅を有するテープ状のものを用いることもできる。
【００２８】
前述の立体ギャザーシート１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに立体ギャザーシート１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２９】
（外装体の構造例）
外装体２０は、前後方向中央から腹側に延在する前身頃Ｆを構成する部分と、前後方向中央から背側に延在する後身頃Ｂを構成する部分とを有し、これら前身頃Ｆの両側部と後身頃Ｂの両側部とが接合されてサイドシール部２１が形成されるとともに、図６に示すように、装着者の胴を通すためのウエスト開口及び脚を通すための左右一対の脚開口が形成されているものである。
【００３０】
外装体２０は、サイドシール部２１を有する縦方向範囲（ウエスト開口から脚開口の上端に至る縦方向範囲）として定まる胴周り部Ｔと、脚開口を形成する部分の前後方向範囲（前身頃Ｆのサイドシール部２１を有する縦方向領域と後身頃Ｂのサイドシール部２１を有する縦方向領域との間）として定まる脚開口部Ｌとを有する。胴周り部Ｔは、概念的にウエスト開口の縁部を形成するウエスト部Ｗと、これよりも下側の部分であるウエスト下方部Ｕとに分けることができる。通常、胴周り部Ｔ内に幅方向伸縮応力が変化する境界（例えば弾性伸縮部材の太さや伸長率が変化する）を有する場合は、最もウエスト開口側の境界よりもウエスト開口側がウエスト部Ｗとなり、このような境界が無い場合は吸収体１３又は内装体１０よりもウエスト開口側がウエスト部Ｗとなる。
【００３１】
外装体２０は、図４〜図６にも示されるように、それぞれ不織布等からなる押えシート２０Ａ及びバックシート２０Ｂからなる２層構造とされ、押えシート２０Ａとバックシート２０Ｂとの間、及びバックシート２０Ｂをウエスト開口縁で内面側に折り返してなる折り返し部分２０Ｃの不織布間に各種弾性部材が配設され、伸縮性が付与されている。平面形状は、中間両側部にそれぞれ脚開口を形成するために形成された凹状の脚周りライン２９により、全体として擬似砂時計形状をなしている。
【００３２】
図示形態の外装体２０は、前身頃Ｆ及び後身頃Ｂのそれぞれにおいて、幅方向に沿う弾性部材として、ウエスト部Ｗに配置されたウエスト部弾性部材２４、ウエスト下方部Ｕに配置されたウエスト下方部弾性部材２５、及び脚開口部Ｌに配置された脚開口部弾性部材２７を有するとともに、これらとは別に、サイドシール部２１から一脚開口に沿って股間部分に向かうパターンで湾曲しつつ延在する湾曲弾性部材２６，２８を備えている。これら、弾性部材２４〜２８は、それぞれその延在方向に沿って所定の伸長率で伸長された状態で固定されている。なお、本外装体２０では、脚周りライン２９に沿って前身頃Ｆのサイドシール部から後身頃Ｂのサイドシール部まで連続する、所謂脚周り弾性部材は設けられていない。
【００３３】
ウエスト部弾性部材２４は、装着者のウエストを伸縮性をもって締め付けるためのものであり、図示例ではウエスト部Ｗにおける層間に幅方向に沿って伸長状態で取り付けられた糸ゴム等の細長状弾性部材とされており、縦方向に間隔をおいて複数本設けられている。このウエスト部弾性部材２４は、図示例では糸ゴムを用いたが、例えばテープ状の伸縮部材を用いてもよい。また、図示形態のウエスト部弾性部材２４は、ウエスト部におけるバックシート２０Ｂの折り返し部分２０Ｃの不織布間に挟持されているが、押えシート２０Ａとバックシート２０Ｂとの間に挟持しても良い。ウエスト部弾性部材２４は、ウエスト部Ｗの幅方向全体に設けられることが望ましい。
【００３４】
ウエスト下方部弾性部材２５は、おむつを装着者の下腹部や臀部に伸縮性をもって密着させるためのものであり、図示例ではウエスト下方部Ｕにおける層間に幅方向に沿って伸長状態で取り付けられた糸ゴム等の細長状弾性部材とされており、縦方向に間隔をおいて複数本設けられている。ウエスト下方部弾性部材２５は、ウエスト下方部Ｕのうち少なくとも吸収体の幅方向中間部の幅方向両側に設けられ、側縁はサイドシール部２１まで設けられることが望ましい。
【００３５】
脚開口部弾性部材２７は、主に脚開口に沿う部分に幅方向の伸縮性を与えるためのものであり、図示例では脚開口部Ｌにおける層間に幅方向に沿って伸長状態で取り付けられた複数本の糸ゴム等の細長状弾性部材とされており、縦方向に間隔をおいて複数本設けられている。脚開口部弾性部材２７は、脚開口部Ｌのうち少なくとも吸収体の幅方向中間部の幅方向両側に設けられ、側縁は脚開口縁２９まで設けられることが望ましい。
【００３６】
図示の形態においては、外装体２０における胴周り部Ｔから脚開口部Ｌにわたる範囲には、ウエスト部弾性部材２４、ウエスト下方部弾性部材２５、脚開口部弾性部材２７とは別に、糸ゴム等の細長状弾性部材からなる湾曲弾性部材２６，２８が所定の曲線に沿って配置されている。湾曲弾性部材２６，２８は、それぞれ一本であっても良いが複数本であるのが好ましく、図示例では４本の糸ゴム等の細長状弾性部材であり、これら湾曲弾性部材２６，２８は互いに交差することなく、間隔をおいて配置されている。この湾曲弾性部材２６，２８は、２，３本程度の弾性部材を間隔を密にして実質的に一束として配置される他、所定の伸縮ゾーンを形成するように３〜２０ｍｍ、好ましくは６〜１６ｍｍ程度の間隔を空けて、３本以上、好ましくは４本以上配置される。
脚開口部弾性部材２７に、湾曲弾性部材２６，２８などは必要により設けるものであり、これらを有していなくともよい。
【００３７】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００３８】
図示例とは異なり、湾曲弾性部材２６，２８を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材２８の群の一部又は全部と、後身頃Ｂ側に配置された湾曲弾性部材２６の群の一部又は全部とが交差する形態（図示せず）も採用できるが、図示例のように、前身頃Ｆ側に配置された湾曲弾性部材２８の群と、後身頃Ｂ側に配置された湾曲弾性部材２６の群とは互いに交差することなく前後方向中間部、特に前身頃Ｆに若干偏った位置で縦方向に離間している形態が好適である。
【００３９】
さらに、湾曲弾性部材２６，２８はその全体が湾曲していなくても良く、部分的に直線状の部分を有していても良い。
【００４０】
弾性部材２４〜２８の取付時の伸長率は適宜定めることができるが、通常の成人用の場合、ウエスト部弾性部材２４は１６０〜３２０％程度、ウエスト下方部弾性部材２５及び脚開口部弾性部材２７は１６０〜３２０％程度、湾曲弾性部材２６，２８は２３０〜３２０％程度とすることができる。
【００４１】
（前後押えシート）
図１及び図４にも示されるように、外装体２０の内面上に取り付けられた内装体１０の前後端部をカバーし、且つ内装体１０の前後縁からの漏れを防ぐために、前後押えシート５０，６０が設けられていても良い。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００４２】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押えシート５０，６０と同等の部分を形成することもできる。
【００４３】
引き上げ弾性部材３０は、吸収体１３の側部に重なる位置まで延びていると、引き上げ効果に優れるが、吸収体１３の側縁に一致するか又は側縁よりも側方に離間していても良い。
引き上げ弾性部材３０による収縮力は、それ以外の弾性部材（図示形態ではウエスト下方部弾性部材２５（基本弾性部材に相当））の収縮力と同じであっても良いが、より弱くして収縮力に差をつけると、外装体２０がウエスト下方部弾性部材２５及び脚開口部弾性部材２７によりしっかりとフィットするため好ましい。なお、収縮力は同じ伸び率での値を意味し、弾性部材の種類、取付時の伸長率、太さ等、公知の手法により異ならしめることができる。
【００４４】
（その他）
上述の例では、前身頃Ｆから後身頃Ｂまでを一体的な外装体１２により連続的に覆っているが、外装体が前身頃Ｆを構成するものと後身頃Ｂを構成するものとに分割されており、前身頃Ｆの外装体と後身頃Ｂの外装体とが股間側で連続しておらず、離間されている形態も採用することができる（図示略）。この場合、前身頃の外装体は、少なくとも縦方向伸縮部と重なる部分、その幅方向両側の部分及びこれらのウエスト開口側の部分を有するものとされる。また、内装体の裏面は不織布等の股間部外装体により被覆することができる。
【００４５】
＜サイドシール部について＞
本発明は、一対のシート間に配置され、幅方向に伸縮力を与える伸縮部材が固定された、前身頃及び後身頃の両側縁部が相互の接合によるサイドシール部を有し、ウエスト開口及び左右一対の脚開口が形成されたパンツタイプ使い捨て製品に係り、特にサイドシール部周囲の構造を工夫したものである。
【００４６】
本発明のパンツタイプ使い捨て製品としては、ウエスト開口及び左右一対の脚開口が形成され、前身頃及び後身頃の両側縁部が相互の接合によるサイドシール部を有するものを対象としている。
したがって、体液を受け止め吸収する用途におけるパンツタイプ使い捨ておむつのほか、例えば使い捨てパンツなどであってもよい。
【００４７】
例えば、図１及び図２の前身頃Ｆ及び後身頃Ｂの両側縁部が相互に接合され、図６に図示されるサイドシール部２１を横断面図で見た状態での図７〜図１０を参照しながら、本発明のサイドシール部周囲の構造例を説明する。
【００４８】
本発明によれば、図７（ａ）に示すように、前身頃又は後身頃の一方の身頃における、少なくともサイドシール部との境界Ｑを跨ぐ境界領域において、前記弾性部材の収縮力が弱いか発揮しない構造であり、他方の身頃における境界領域においては、前記弾性部材の収縮力が強いか発揮する構造であることをパンツタイプ使い捨て製品が提供される。
【００４９】
図７（ｂ）（ｃ）に示す第１の実施の形態、図８（ａ）（ｂ）に示す第２の実施の形態図９（ａ）（ｂ）に示す第３の実施の形態、図１０（ａ）（ｂ）に示す第４の実施の形態、の何れの実施の形態においても、前身頃又は後身頃の一方の身頃（図面上の左側の身頃）Ｘにおける、少なくともサイドシール部との境界Ｑを跨ぐ境界領域において、弾性部材の収縮力が弱いか発揮しない構造であり、他方の身頃（図面上の右側の身頃）Ｙにおける境界領域においては、前記弾性部材の収縮力が強いか発揮する構造である。
【００５０】
本発明におけるサイドシール部２１における弾性部材の例としては、前後方向に複数の細い部材（例えば糸ゴムなど）であり、前掲例のパンツタイプ使い捨ておむつにおいては、ウエスト部弾性部材２４、ウエスト下方部弾性部材２５、脚開口部弾性部材２７、湾曲弾性部材２６，２８が対象となるが、簡明化のために弾性部材２５を例示して図示してある。
【００５１】
従来例においては、一方の身頃Ｘにおける弾性部材の収縮力と、他方の身頃Ｙにおける弾性部材の収縮力とは実施例に同一であるが故に、図７（ａ）に示すように、サイドシール部２１がほぼ直交的に起立したようになる。
その結果、身頃Ｘの弾性部材２５、身頃Ｙの弾性部材２５の収縮力によって、境界Ｑを挟む幅領域に対応する着用者の領域Ｚに集中的に、剛性の高いサイドシール部２１による圧迫力が作用し、着用者にサイドシール部２１による違和感を与える。
また、サイドシール部２１が起立していることは、使い捨ておむつの表面をなでるように触るとき突起物としての違和感も与える。見た目の違和感も与える。
【００５２】
これに対し、図７（ｃ）に示すように、サイドシール部２１が他方の身頃Ｙ側に倒伏した状態では、剛性の高いサイドシール部２１が倒伏した状態になるので、圧迫力は着用者に対して平面的に作用し、サイドシール部２１による違和感は解消又は軽減される。
【００５３】
図７（ｂ）（ｃ）に示す第１の実施の形態は、弾性部材２５が前後方向（図７では図面を貫通する方向）に複数の細い部材であり、ホットメルト接着剤により前身頃及び後身頃を構成するシートに固定され一体化しており、前記一方の身頃Ｘにおける少なくとも境界領域において、前記弾性部材２５は位置していない態様である。
すなわち、弾性部材２５は、境界Ｑを跨ぐ境界領域に、弾性部材２５は位置していない。この場合においては、一方の身頃Ｘでは製品の幅方向（図面の左右方向）に弾性部材２５が、押えシート２０Ａ及びバックシート２０Ｂと共に収縮しようとする。
このような弾性部材２５による、押えシート２０Ａ及びバックシート２０Ｂと共に収縮しようとする力が、一方の身頃Ｘと他方の身頃Ｙとで同じであれば、図７（ａ）のようになるが、図７（ｂ）（ｃ）に示す第１の実施の形態では、弾性部材２５が境界Ｑを跨ぐ境界領域に位置していないので、収縮力がサイドシール部２１に作用しないことになり、その結果、他方の身頃Ｙ側のみの弾性部材２５による収縮力がサイドシール部２１に作用し、サイドシール部２１を伏倒するようになるのである。
【００５４】
図８（ａ）（ｂ）に示す第２の実施の形態においても、弾性部材２５が前後方向（図８では図面を貫通する方向）に複数の細い部材であり、ホットメルト接着剤により前身頃及び後身頃を構成するシートに固定され一体化している。
しかるに、一方の身頃Ｘにおける少なくとも境界領域において、弾性部材２５は位置していない態様である。
すなわち、弾性部材２５は、境界Ｑを跨ぐ境界領域のほか、押えシート２０Ａ及びバックシート２０Ｂの側縁までの全体において、弾性部材２５は位置していない態様である。
この態様は、例えば、押えシート２０Ａ及びバックシート２０Ｂの側縁から境界領域に亘って、ホットメルト接着剤による接着を行わないことによって、製造過程で、一つの使い捨ておむつのサイドシール部２１と隣接する他の使い捨ておむつのサイドシール部２１とを切断分離するときに、一方の身頃Ｘの弾性部材２５が境界領域を越えて収縮することによって、一方の身頃Ｘにおける少なくとも境界領域において、弾性部材２５は位置していない態様がなされるものである。
この場合においても、第１の実施の形態と同様な作用機序が生じる。
【００５５】
図９（ａ）（ｂ）に示す第３の実施の形態においても、弾性部材２５が前後方向（図９では図面を貫通する方向）に複数の細い部材であり、ホットメルト接着剤により前身頃及び後身頃を構成するシートに固定され一体化している。
しかるに、他方の身頃Ｙにおける少なくとも境界領域において、弾性部材２５は、一対のシート（押えシート２０Ａ及びバックシート２０Ｂ）のうち少なくとも着用者側の一方のシート（押えシート２０Ａ）と一体化されていない形態である。
この態様は、（１）弾性部材２５を、少なくとも境界領域（図９（ａ）の符号γ）に亘って、押えシート２０Ａに対して一体化されていない態様、（２）あるいは押えシート２０Ａ及びバックシート２０Ｂの両者に対して一体化されていない態様を含む。
一体化させない手段としては、ホットメルト接着剤による接着を行わないことを挙げることができる。あるいは、境界領域に接着力の発揮を阻害する薬品の塗布することなども挙げることができる。
【００５６】
第３の実施の形態に従って、弾性部材２５が、少なくとも着用者側の一方のシート（押えシート２０Ａ）と一体化されていないことによって、図９（ｂ）に示すように、境界領域に部分に亘る一方の端と他方の端との間で、弾性部材２５がその収縮力により直線化しようと挙動し、その結果、サイドシール部２１を他方の身頃Ｙ側の伏倒させるように挙動する。これは、他方の身頃Ｙ側の弾性部材２５の収縮力が、一方の身頃Ｘ側の弾性部材２５の収縮力より勝ることによる。
第３の実施の形態においても、第１の実施の形態と同様な作用機序が生じる。
【００５７】
弾性部材として、細くて長い部材を使用する場合、仮に前後方向に間欠的にシールをする場合、その隣接シール部間に弾性部材が位置した状態でシール加工すると、弾性部材の収縮力によりシールがなされないあるいはシールから抜けてしまう危険性がある。したがって、シール加工は前後方向に連続しているのが望ましい。
また、前後方向に一つのシール部では安定しないなどの難点が予想されるので、前掲の先行特許文献１及び特許文献２のように、幅方向に２列のサイドシール部とすることができる。
【００５８】
かかる点に鑑み、  図１０（ａ）（ｂ）に示す第４の実施の形態では、櫛歯状のサイドシール部とした例である。
側縁部の外側が前後方向に連続しているシール部２１Ａと、側縁部の内側が前後方向に不連続であるシール部２１ａ、シール部２１ａ,２１ａ間の不連続部分位置に弾性部材２５が位置して、側縁部の外側（シール部２１ａ）にまで達している態様である。
【００５９】
そして、弾性部材２５に関し、シール部２１Ａとの間のＬ区間については、例えばホットメルト接着剤による接着を行わない場合、境界領域に部分に亘るＬ区間の一方の端と他方の端との間で、弾性部材２５がその収縮力により直線化しようと挙動し、サイドシール部２１を他方の身頃Ｙ側の伏倒させるように挙動する。
第４の実施の形態においても、第１の実施の形態と同様な作用機序が生じる。
【００６０】
第４の実施の形態において、例えば、シール部２１Ａはホットメルト接着剤による接合部分であり、シール部２１ａについては熱溶着部分とすることができる。
なお、この第４の実施の形態及び第３の実施の形態において、第１の実施の形態又は第２の実施の形態と組み合せると、身頃Ｙ側の伏倒がより明確になる利点がある。
【００６１】
上記第１〜第３の実施の形態において、サイドシール部の形態は、特許文献１及び特許文献２の開示例と同様にすることができるほか、図１１に示すように、連続シール部２１Ｂと間欠シール部２１Ｃの組み合せによってもよい。
【００６２】
上記例は、弾性部材として細い長い部材の例であるが、ある面積を占める少なくとも幅方向に伸縮する弾性フィルムを使用することもできる。
弾性フィルムを使用する場合においても、細い長い部材の例で同様の形態によって、本発明の課題を達成できることは明らかであろう。
なお、弾性（エラストマー）フィルムを使用した場合の接合例としては、ホットメルト接着剤によるほか、ホットメルト接着剤の接合では硬くなり過ぎるために、多数の点での溶着、たとえば熱溶着又は超音波溶着によって可能である。
この種の溶着接合例としては、特表平１０−５０９３３７号、特許第３２４９５３０号、特許第３６７５６７６号、ＷＯ２００８／１２６７０８  Ａ１、特許第４５０８８８５号、特許第４９３４８３５号、特許第５０２８６５４号、特開２０１３−１２８５７５号、特許第５１８３４８８号、特許第５０７３７２５号などを挙げることができる。
したがって、具体例による図示説明は省略する。
【産業上の利用可能性】
【００６３】
本発明は、上記例のようなパンツタイプ使い捨て製品に利用できるものである。
【符号の説明】
【００６４】
Ｂ…後身頃、ＢＳ…立体ギャザー、Ｆ…前身頃、１０…内装体、１１…表面シート、１２…液不透過性裏面側シート、１３…吸収体、１５…立体ギャザーシート、１６…立体ギャザー弾性部材、２０…外装体、２０Ａ…押えシート、２０Ｂ…バックシート、２０Ｃ…折り返し部分、２１…サイドシール部、２１Ａ〜２１Ｃ、２１ａ、２１ｂ…シール部、２４…ウエスト部弾性部材、２５…ウエスト下方部弾性部材、２６，２８…湾曲弾性部材、２７…脚開口部弾性部材、Ｔ…胴周り部、Ｌ…脚開口部、Ｗ…ウエスト部、Ｕ…ウエスト下方部。
【図１】
2018110898.tif 000003
【図２】
2018110898.tif 000004
【図３】
2018110898.tif 000005
【図４】
2018110898.tif 000006
【図５】
2018110898.tif 000007
【図６】
2018110898.tif 000008
【図７】
2018110898.tif 000009
【図８】
2018110898.tif 000010
【図９】
2018110898.tif 000011
【図１０】
2018110898.tif 000012
【図１１】
2018110898.tif 000013